(57)【要約】【課題】インバータ装置の構成の簡素化、コスト低減および小型軽量化を図るとともに、組み立て性やその精度を高め、生産性を向上できるインバータ一体型電動圧縮機を提供することを目的とする。【解決手段】インバータ一体型電動圧縮機において、インバータ装置のメイン基板２０上にＰ−Ｎ端子２４を設け、該Ｐ−Ｎ端子２４に一端に設けられたコネクタを差し込むことにより電源側ケーブルが接続可能とされているとともに、メイン基板２０のＰ−Ｎ端子２４が設置されている部位の裏面側に複数の高電圧系電装部品１７，１８を配設し、実装することにより、メイン基板２０上にフィルタ回路が設けられ、その複数の高電圧系電装部品１７，１８が、互いの収納ケース２７，３５に設けられた嵌合部３２，３７を介して一体に結合され、その何れかの収納ケース側に設けられた位置決め手段３３を介してメイン基板２０の裏面側の所定位置に設置されている。【選択図】図５
2014161188.tif 000002
【特許請求の範囲】
【請求項１】
ハウジングの外周に設けられたインバータ収容部に、インバータ装置が組み込まれて一体化されているインバータ一体型電動圧縮機において、
インバータ装置のメイン基板上に高電圧の直流電力を入力するＰ−Ｎ端子を設け、該Ｐ−Ｎ端子にその一端側に設けられているコネクタを差し込むことにより電源側ケーブルが接続可能とされているとともに、
前記メイン基板の前記Ｐ−Ｎ端子が設置されている部位の裏面側に複数の高電圧系電装部品を配設し、実装することにより、該メイン基板上にノイズ除去用のフィルタ回路が設けられ、
前記複数の高電圧系電装部品が、互いの収納ケースに設けられた嵌合部を介して一体に結合され、その何れかの収納ケース側に設けられた位置決め手段を介して前記メイン基板の裏面側の所定位置に設置されていることを特徴とするインバータ一体型電動圧縮機。
【請求項２】
前記複数の高電圧系電装部品は、各々が樹脂製の前記収納ケース入り平滑コンデンサおよびコイルとされ、該収納ケースが前記メイン基板の裏面側にネジを介して一体に組み付け固定されることにより、前記インバータ収容部内に収容設置される構成とされていることを特徴とする請求項１に記載のインバータ一体型電動圧縮機。
【請求項３】
前記位置決め手段は、樹脂製とされた前記収納ケースの前記嵌合部の上面に、上方に向けて一体に突出成形され、前記メイン基板に設けられている位置決め穴に嵌合する突起とされていることを特徴とする請求項１または２に記載のインバータ一体型電動圧縮機。
【請求項４】
前記電源側ケーブルの一端に設けられている前記コネクタは、前記インバータ収容部を密閉する蓋体側の前記Ｐ−Ｎ端子と対応する位置の内面側に設けられており、前記蓋体の取付け時、前記Ｐ−Ｎ端子に差し込み可能とされていることを特徴とする請求項１ないし３のいずれかに記載のインバータ一体型電動圧縮機。
【請求項５】
前記複数の高電圧系電装部品の１つが、前記メイン基板上に設置されている前記Ｐ−Ｎ端子の設置位置に対応してその裏面側に配設され、当該高電圧系電装部品により、前記コネクタの前記Ｐ−Ｎ端子への差し込み時に前記メイン基板に付加される応力を受ける構成とされていることを特徴とする請求項１ないし４のいずれかに記載のインバータ一体型電動圧縮機。
【発明の詳細な説明】
【技術分野】
【０００１】
本発明は、電動圧縮機のハウジングに、インバータ装置が一体に組み込まれているインバータ一体型電動圧縮機に関するものである。
【背景技術】
【０００２】
電気自動車やハイブリッド車等に搭載される空調装置の圧縮機には、インバータ装置が一体に組み込まれたインバータ一体型電動圧縮機が用いられている。このインバータ一体型電動圧縮機は、車両に搭載された電源ユニットから供給される高電圧の直流電力をインバータ装置で所要周波数の三相交流電力に変換し、それを電動モータに印加することにより駆動されるように構成されている。
【０００３】
インバータ装置は、ノイズ除去用のフィルタ回路を構成するコイルやコンデンサ等の複数の高電圧系電装部品、電力を変換するスイッチング回路を構成するＩＧＢＴ等の複数の半導体スイッチング素子、フィルタ回路およびスイッチング回路を含むインバータ回路やその制御回路が実装されている基板等々から構成され、Ｐ−Ｎ端子を介して入力された直流電力を三相交流電力に変換し、ＵＷＶ端子からモータ側に出力するものであり、電動圧縮機のハウジング外周に設けられたインバータ収容部に組み込まれることによって一体化されている。
【０００４】
このインバータ装置に電源からの直流電力を供給する電源側ケーブルは、例えば特許文献１に示されるように、インバータ収容部側に設けられているコネクタ接続部に電源側ケーブルのコネクタを介して接続され、そこから端子台、配線パターンにより直流電力ラインが構成されている樹脂基板、その樹脂基板上に設けられたコイルや平滑コンデンサにより構成されたフィルタ回路、バスバーアセンブリ等を介して制御基板側のＰ−Ｎ端子に接続される構成とされている。
【０００５】
また、特許文献２には、フィルタ回路用のコイルやコンデンサを実装した回路基板が設置されたインバータ収容空間を密閉する金属製インバータカバーに、電源入力ポート形成部を形成し、そのポート形成部に金属端子を樹脂インサート成形して樹脂製電源コネクタを一体的に設け、該電源コネクタに電源側ケーブルを接続するとともに、インバータカバーのハウジングへの固定により、電源コネクタの金属端子と回路基板とを接続するようにしたものが開示され、特許文献３には、基板カバーの内面に弾性部材を挟持した状態で電力変換基板を固定設置するとともに、ハウジングと対向する側の表面にフィルタ回路用のコイルおよびコンデンサを配置し、そのコイルおよびコンデンサの下部をハウジング側の凹部に挿入設置したものが開示されている。
【先行技術文献】
【特許文献】
【０００６】
【特許文献１】特許第４８９８９３１号公報
【特許文献２】特開２０１２−１９３６６０号公報
【特許文献３】特開２００７−２９５６３９号公報
【発明の概要】
【発明が解決しようとする課題】
【０００７】
しかし、特許文献１に示すものは、電源側ケーブルからの直流電力の入力系統に端子台や樹脂基板、バスバー等を設けて、フィルタ回路用のコイルや平滑コンデンサ等の高電圧系電装部品を接続する必要があり、このため、インバータ装置の部品数が多くなり、構成が複雑化し、高コスト化、大型化するとともに、バスバーによる接続部が必要となることから、その信頼性の確保が大変になる等の課題を有している。
【０００８】
一方、特許文献２には、回路基板の裏面側にフィルタ回路用の電装部品を実装し、インバータカバーに電源側ケーブルを接続する電源コネクタを一体化して設け、その金属端子をインバータカバーの取付け時に回路基板に接続する構成とすることで、直流電力の入力系統の構成を簡素化したものが記載され、また、特許文献３にも、電力変換基板の裏面側にフィルタ回路用の電装部品を配置して実装したものが記載されている。しかるに、これらは、フィルタ回路用の複数の電装部品を基板上の離れた位置に個別に実装しており、基板上に設けたＰ−Ｎ端子と関連付けし、複数の電装部品を一体的に結合して組み付けることで、インバータ装置の組み立て性や生産性を高めようとするものではない。
【０００９】
本発明は、このような事情に鑑みてなされたものであって、インバータ装置の構成の簡素化、コスト低減および小型軽量化を図るとともに、組み立て性やその精度を高め、生産性を向上できるインバータ一体型電動圧縮機を提供することを目的とする。
【課題を解決するための手段】
【００１０】
上記した課題を解決するために、本発明のインバータ一体型電動圧縮機は、以下の手段を採用する。
すなわち、本発明にかかるインバータ一体型電動圧縮機は、ハウジングの外周に設けられたインバータ収容部に、インバータ装置が組み込まれて一体化されているインバータ一体型電動圧縮機において、インバータ装置のメイン基板上に高電圧の直流電力を入力するＰ−Ｎ端子を設け、該Ｐ−Ｎ端子にその一端側に設けられているコネクタを差し込むことにより電源側ケーブルが接続可能とされているとともに、前記メイン基板の前記Ｐ−Ｎ端子が設置されている部位の裏面側に複数の高電圧系電装部品を配設し、実装することにより、該メイン基板上にノイズ除去用のフィルタ回路が設けられ、前記複数の高電圧系電装部品が、互いの収納ケースに設けられた嵌合部を介して一体に結合され、その何れかの収納ケース側に設けられた位置決め手段を介して前記メイン基板の裏面側の所定位置に設置されていることを特徴とする。
【００１１】
本発明によれば、インバータ装置のメイン基板上に高電圧の直流電力を入力するＰ−Ｎ端子を設け、該Ｐ−Ｎ端子にその一端側に設けられているコネクタを差し込むことにより電源側ケーブルが接続可能とされているとともに、メイン基板のＰ−Ｎ端子が設置されている部位の裏面側に複数の高電圧系電装部品を配設し、実装することにより、該メイン基板上にノイズ除去用のフィルタ回路が設けられているため、メイン基板上に設けられているＰ−Ｎ端子に対して、電源側ケーブルの一端に設けられているコネクタを差し込むことにより、端子台やバスバーを用いることなく、電源側ケーブルを直接接続した構成とすることができるとともに、メイン基板のＰ−Ｎ端子の設置部位の裏面に複数の高電圧系電装部品を配設し、実装することにより、バスバーを用いることなく、メイン基板上にノイズ除去用のフィルタ回路を構成することができる。従って、直流電力の入力系統に設けられていた端子台やバスバーを省き、インバータ装置の部品数を削減することにより、構成の簡素化、コスト低減および小型軽量化を図ることができるとともに、バスバーによる接続部を減らすことで、工数の低減と信頼性の向上を図ることができる。しかも、複数の高電圧系電装部品を、互いの収納ケースに設けられている嵌合部を介して一体に結合し、何れかの収納ケース側に設けられている位置決め手段を介してメイン基板の裏面側の所定位置に設置するようにしているため、比較的重い大型部品である平滑コンデンサやコイル等からなる複数の高電圧系電装部品を一体的に結合し、メイン基板の裏面側に位置決めして組み付けた状態でインバータ収容部内に収容設置することができる。従って、複数の高電圧系電装部品を個別に組み付けるものに比べ、組み立て性やその精度を高め、生産性を向上することができる。
【００１２】
さらに、本発明のインバータ一体型電動圧縮機は、上記インバータ一体型電動圧縮機において、前記複数の高電圧系電装部品は、各々が樹脂製の前記収納ケース入り平滑コンデンサおよびコイルとされ、該収納ケースが前記メイン基板の裏面側にネジを介して一体に組み付け固定されることにより、前記インバータ収容部内に収容設置される構成とされていることを特徴とする。
【００１３】
本発明によれば、複数の高電圧系電装部品が、各々樹脂製の収納ケース入り平滑コンデンサおよびコイルとされ、その収納ケースがメイン基板の裏面側にネジを介して一体に組み付け固定されることにより、インバータ収容部内に収容設置される構成とされているため、ノイズ除去用のフィルタ回路を構成する平滑コンデンサおよびコイルを各々の収納ケースを介してメイン基板の裏面側にネジにより強固に締め付け固定し、一体化して組み込むことができる。従って、組み立て性やその精度を向上できるのみならず、走行振動等に対する耐振強度をも十分に確保することができる。
【００１４】
さらに、本発明のインバータ一体型電動圧縮機は、上述のいずれかのインバータ一体型電動圧縮機において、前記位置決め手段は、樹脂製とされた前記収納ケースの前記嵌合部の上面に、上方に向けて一体に突出成形され、前記メイン基板に設けられている位置決め穴に嵌合する突起とされていることを特徴とする。
【００１５】
本発明によれば、位置決め手段が、樹脂製とされた収納ケースの嵌合部の上面に、上方に向けて一体に突出成形され、メイン基板に設けられている位置決め穴に嵌合する突起とされているため、一体に結合された複数の高電圧系電装部品を、一方の樹脂製収納ケースに嵌合部と共に一体成形された位置決め手段用突起をメイン基板側の位置決め穴に嵌合することにより、同時に位置決めしてメイン基板に組み付けることができる。従って、部品数や組み立て工数を増加することなく低コストで、かつ複数の高電圧系電装部品を簡易に一体化して位置決めし、精度よく組み付けることにより、インバータ装置の組み立て性を向上することができる。
【００１６】
さらに、本発明のインバータ一体型電動圧縮機は、上述のいずれかのインバータ一体型電動圧縮機において、前記電源側ケーブルの一端に設けられている前記コネクタは、前記インバータ収容部を密閉する蓋体側の前記Ｐ−Ｎ端子と対応する位置の内面側に設けられており、前記蓋体の取付け時、前記Ｐ−Ｎ端子に差し込み可能とされていることを特徴とする。
【００１７】
本発明によれば、電源側ケーブルの一端に設けられているコネクタが、インバータ収容部を密閉する蓋体側のＰ−Ｎ端子と対応する位置の内面側に設けられており、蓋体の取付け時、Ｐ−Ｎ端子に差し込み可能とされているため、インバータ収容部にインバータ装置を収容設置した後、蓋体を取付けてインバータ収容部を密閉する際、同時に蓋体の内面側に設けられているコネクタをＰ−Ｎ端子に差し込むことにより、電源側ケーブルをインバータ装置のＰ−Ｎ端子に接続することができる。従って、電源側ケーブルの接続構造をシンプル化し、その接続工程を簡略化することができるとともに、コネクタ接続とすることによりその信頼性を確保することができる。
【００１８】
さらに、本発明のインバータ一体型電動圧縮機は、上述のいずれかのインバータ一体型電動圧縮機において、前記複数の高電圧系電装部品の１つが、前記メイン基板上に設置されている前記Ｐ−Ｎ端子の設置位置に対応してその裏面側に配設され、当該高電圧系電装部品により、前記コネクタの前記Ｐ−Ｎ端子への差し込み時に前記メイン基板に付加される応力を受ける構成とされていることを特徴とする。
【００１９】
本発明によれば、複数の高電圧系電装部品の１つが、メイン基板上に設置されているＰ−Ｎ端子の設置位置に対応してその裏面側に配設され、該高電圧系電装部品により、コネクタのＰ−Ｎ端子への差し込み時にメイン基板に付加される応力を受ける構成とされているため、メイン基板上に設けられているＰ−Ｎ端子に対して、電源側ケーブルの一端に設けられているコネクタを差し込んで、電源側ケーブルを接続する際、メイン基板に付加される応力を、Ｐ−Ｎ端子の設置位置に対応してその裏面側に配設されている高電圧系電装部品で支えることにより、軽減することができる。従って、メイン基板やその実装部品がコネクタの差し込み時の押し込み力による応力で破損する等の事態を確実に解消することができる。
【発明の効果】
【００２０】
本発明によると、メイン基板上に設けられているＰ−Ｎ端子に対して、電源側ケーブルの一端に設けられているコネクタを差し込むことにより、端子台やバスバーを用いることなく、電源側ケーブルを直接接続した構成とすることができるとともに、メイン基板のＰ−Ｎ端子の設置部位の裏面に複数の高電圧系電装部品を配設し、実装することにより、バスバーを用いることなく、メイン基板上にノイズ除去用のフィルタ回路を構成することができるため、直流電力の入力系統に設けられていた端子台やバスバーを省き、インバータ装置の部品数を削減することにより、構成の簡素化、コスト低減および小型軽量化を図ることができるとともに、バスバーによる接続部を減らすことで、工数の低減と信頼性の向上を図ることができる。しかも、比較的重い大型部品である平滑コンデンサやコイル等からなる複数の高電圧系電装部品を一体的に結合し、メイン基板の裏面側に位置決めして組み付けた状態でインバータ収容部内に収容設置することができるため、複数の高電圧系電装部品を個別に組み付けるものに比べ、組み立て性やその精度を高め、生産性を向上することができる。
【図面の簡単な説明】
【００２１】
【図１】本発明の一実施形態に係るインバータ一体型電動圧縮機の主要部の構成を示す斜視図である。
【図２】図１中のａ−ａ縦断面相当図である。
【図３】上記インバータ一体型電動圧縮機のインバータ収容部を密閉する蓋体の裏面側斜視図である。
【図４】上記蓋体に接続される電源ケーブル単体の斜視図である。
【図５】上記インバータ装置のメイン基板とその裏面側に配設される複数の高電圧系電装部品の配置関係を示す分解斜視図である。
【図６】上記メイン基板上のＰ−Ｎ端子と対向する位置に配設される高電圧系電装部品（平滑コンデンサ）の斜視図である。
【図７】上記複数の高電圧系電装部品の結合構成を示す概略図である。
【発明を実施するための形態】
【００２２】
以下に、本発明にかかる一実施形態について、図１ないし図７を参照して説明する。
図１には、本発明の一実施形態の係るインバータ一体型電動圧縮機の主要部の斜視図が示され、図２には、そのａ−ａ縦断面相当図、図３には、インバータ収容部を密閉する蓋体の裏面側斜視図、図４には、電源ケーブル単体の斜視図が示されている。
インバータ一体型電動圧縮機１は、外殻を構成する円筒形状とされたハウジング２を備えている。ハウジング２は、電動モータ（図示省略）を内蔵するためのモータハウジング３と、圧縮機構（図示省略）を内蔵するための圧縮機ハウジング（図示省略）とを一体に結合した構成とされている。
【００２３】
インバータ一体型電動圧縮機１は、ハウジング２内に内蔵されている電動モータと圧縮機構とが回転軸を介して連結されており、電動モータが後述するインバータ装置７を介して回転駆動されることにより圧縮機構が駆動され、モータハウジング３の後端側側面に設けられている吸入ポート４を介してその内部に吸込まれた低圧の冷媒ガスを、電動モータの周囲を経て吸込み、圧縮機構で高圧に圧縮して圧縮機ハウジング内に吐出した後、外部に送出する構成とされている。
【００２４】
モータハウジング３には、内周面側に軸線方向に沿って冷媒を流通させるための複数の冷媒流通路５が形成され、その外周部には、電動圧縮機１の据え付け用脚部６が複数箇所に設けられている。また、ハウジング２（モータハウジング３側）の外周部には、インバータ装置７を一体的に組み込むためのインバータ収容部８が一体に成形されている。このインバータ収容部８は、平面視が略正方形状とされており、底面がモータハウジング３の壁面により形成された部分的に略フラットな台座面９とされ、周囲にフランジ部１０が立ち上げられた構成とされている。
【００２５】
インバータ収容部８は、インバータ装置７が組み込まれた後、図３に示される蓋体１１がフランジ部１０に取り付けられることによって密閉される構成とされている。この蓋体１１の内面側には、高電圧ケーブル（電源側ケーブル）１２が設けられている。高電圧ケーブル１２は、一端側にコネクタ１３が設けられるとともに、他端側に電源側のケーブルと接続されるコネクタ端子１４が設けられたものであり、一端のコネクタ１３が、後述するメイン基板２０上に設けられるＰ−Ｎ端子２４と対応する位置において、蓋体１１の内面にネジ１５により固定設置され、他端のコネクタ端子１４が、端子部分を蓋体１１の外表面側に突出させた状態で外面側から複数のネジ１６によって固定設置されている。
【００２６】
この高電圧ケーブル１２は、電源側ケーブルの一部をなすものであり、電源側ケーブルを介して車両に搭載されている電源ユニットに接続され、その一端に設けられているコネクタ１３が、インバータ装置７のメイン基板２０上に設けられているＰ−Ｎ端子２４に接続されることにより、電源ユニットから給電される高電圧の直流電力をインバータ装置７に印加するためのものである。
【００２７】
インバータ装置７は、車両に搭載されている電源ユニットから給電される高電圧の直流電力を、所要周波数の三相交流電力に変換して電動モータに印加し、該電動モータを駆動するものである。このインバータ装置７は、図１および図２に示されるように、インバータ収容部８に対して一体化されて組み込まれるものであり、ノイズ除去用のフィルタ回路を構成する収納ケース入りのコイル１７および平滑コンデンサ１８等の複数の高電圧系電装部品、サブ基板１９、メイン基板２０等から構成されている。
【００２８】
インバータ装置７自体は、公知のものでよいが、ここでは一体化するため、メイン基板２０に対してフィルタ回路を構成するコイル１７および平滑コンデンサ１８等の複数の電装部品を半田付けにより接続したものが用いられている。平滑コンデンサ１８は、一般にケースに収容された構成とされており、図２および図６に示されるように、外形が角型形状（直方体形状）とされ、上面が略フラットな平面形状とされたものである。この平滑コンデンサ１８およびケース入りのコイル１７（例えば、コモンモードコイル、ノーマルモードコイル）等の電装部品は、メイン基板２０の配線パターンにより構成された高電圧ラインに接続され、ノイズ除去用の公知のフィルタ回路を構成している。
【００２９】
サブ基板１９は、上位制御装置からの通信線と接続される通信回路２１が実装されているものであり、インバータ収容部８の底面であるモータハウジング３の壁面に形成されている台座面９に接して固定設置されている。このサブ基板１９は、メイン基板２０と電気的に接続されるようになっている。
【００３０】
メイン基板２０には、直流電力を三相交流電力に変換するＩＧＢＴ等の複数のスイッチング素子で構成されるスイッチング回路（図示省略）が実装されるとともに、該スイッチング回路等を制御するＣＰＵ等の低電圧で動作する制御回路２２が実装されている。メイン基板２０は、車両側に搭載されているＥＣＵからの制御信号に基づいてインバータ装置７の動作を制御するものであり、インバータ収容部８の内部に複数本のボルト２３を介して固定設置されている。このメイン基板２０には、その上面に、高電圧ケーブル１２からコネクタ１３を介して高電圧の直流電力を入力するためのＰ−Ｎ端子２４と、直流電力から返還された所要周波数の三相交流電力を出力するＵＶＷ端子２５が設けられている。
【００３１】
ＵＶＷ端子２５は、インバータ収容部８にモータハウジング３を貫通して設置されているガラス密封端子２６に接続されており、このガラス密封端子２６を介してモータハウジング３内に設置されている電動モータに三相交流電力を印加する構成とされている。
また、Ｐ−Ｎ端子２４には、該Ｐ−Ｎ端子２４と対応して蓋体１１側に設けられているコネクタ１３が差し込まれることにより、高電圧ラインが接続されるが、コネクタ１３を差し込む際には一定以上の押し込み力が必要であり、その応力がメイン基板２０にかかるようになっている。
【００３２】
本実施形態では、メイン基板２０にかかる応力を支えるため、Ｐ−Ｎ端子２４が設置されている部位の裏面側に、図５に示されるように、複数の高電圧系電装部品である平滑コンデンサ１８とコイル１７とが並設されており、その中の平滑コンデンサ１８がＰ−Ｎ端子２４の設置位置に対向してその裏面側に配設されている。平滑コンデンサ１８は、外形が角型形状（直方体形状）とされており、その上面でメイン基板２０に付加される応力を受ける構成とされている。
【００３３】
平滑コンデンサ１８は、図６に示されるように、上端が開口された樹脂製の収納ケース２７内に収納され、樹脂材２８の充填により固定されたものであり、樹脂材２８の表面から一対の端子２９が突出され、その端子２９がメイン基板２０に半田付けされることによりメイン基板２０に実装されている。平滑コンデンサ１８の収納ケース２７の短形状をなす上端開口の周縁には、複数の凹部３０と凸部３１とが交互にかつ各辺に少なくとも１つ以上の凸部３１が存在するように設けられている。
【００３４】
上記凸部３１は、その上面でＰ−Ｎ端子２４が設置されている位置に対向するメイン基板２０の下面側部位を支え、Ｐ−Ｎ端子２４に対するコネクタ１３の差し込み時、メイン基板２０にかかる応力を支持するためのものであり、一方、凹部３０は、平滑コンデンサ１８の製造時、ケース２７内に充填した樹脂材２８が溢れた際に、凹部３０から逃すことにより、樹脂材２８が凸部３１の上面の寸法精度に影響を及ぼさないようにするためのものである。
【００３５】
平滑コンデンサ１８の収納ケース２７には、図７に示されるように、上端開口の周縁の一辺から側方に延出し、更に下方に屈折されたフック状の嵌合凸部（嵌合部）３２が一体に成形されている。この嵌合凸部３２は、もう１つの高電圧系電装部品であるコイル１７と平滑コンデンサ１８とを一体に結合するためのものであり、後述するコイル１７側の収納ケース３５に設けられている凹状の嵌合凹部（嵌合部）３７に嵌合され、両者を一体的に結合するものである。
【００３６】
また、嵌合凸部３２の上面には、メイン基板２０への組み付け時、平滑コンデンサ１８およびコイル１７の位置決めを行うための突起（位置決め手段）３３が上方に向って一体に突出成形されている。この突起３３は、メイン基板２０に設けられている位置決め穴３４に嵌合され、平滑コンデンサ１８およびコイル１７をメイン基板２０上の所定の組み付け位置に位置決めするためのものである。
【００３７】
一方、もう１つの高電圧系電装部品であるコイル１７も、樹脂製の収納ケース３５内に収納され、樹脂材で固定された構成とされており、その両端端子３６がメイン基板２０に半田付けされることによってメイン基板２０に実装されるようになっている。このコイル１７の収納ケース３５には、図７に示されるように、平滑コンデンサ１８側に設けられているフック状の嵌合凸部（嵌合部）３２が嵌合され、コイル１７と平滑コンデンサ１８とを一体的に結合するための凹状の嵌合凹部（嵌合部）３７が設けられている。
【００３８】
そして、上記コイル１７および平滑コンデンサ１８は、各々の収納ケース２７，３５がメイン基板２０の裏面側の所定位置にネジ３８，３９（図１参照）を介して締め付け固定されることにより、メイン基板２０に一体に組み付けられた状態でインバータ収容部８内に収容され、その底部がシリコン接着剤等でインバータ収容部８の底面に固定設置されるようになっている。
【００３９】
以上に説明したように、本実施形態では、メイン基板２０上に設けられているＰ−Ｎ端子２４に対して、Ｐ−Ｎ端子２４が設置されている部位に対応するメイン基板２０の裏面側に、インバータ装置７のノイズ除去用のフィルタ回路を構成する複数の高電圧系電装部品であるコイル１７および平滑コンデンサ１８を配設し、そのコイル１７および平滑コンデンサ１８をメイン基板２０に実装することによって、メイン基板２０上にノイズ除去用のフィルタ回路を設けた構成としている。
【００４０】
また、複数の高電圧系電装部品であるコイル１７および平滑コンデンサ１８を、互いの収納ケース２７，３５に設けられている嵌合凸部３２と嵌合凹部３７とを介して一体に結合し、その収納ケース２７側に設けられている位置決め用の突起３３を介してメイン基板２０の裏面側の所定位置に位置決めして組み付けすることにより、メイン基板２０と一体化してインバータ収容部８内に収容設置できるようにしている。
【００４１】
斯くして、本実施形態によれば、メイン基板２０上に設けられているＰ−Ｎ端子２４に対して、電源側ケーブル１２の一端側に設けたコネクタ１３を差し込むことにより、端子台やバスバーを用いることなく、電源側ケーブル１２を直接接続した構成とすることができるとともに、メイン基板２０上のＰ−Ｎ端子２４の設置部位の裏面に複数の高電圧系電装部品であるコイル１７および平滑コンデンサ１８を配設し、実装することにより、バスバー等を用いることなく、メイン基板２０上にノイズ除去用のフィルタ回路を構成することができる。
【００４２】
このため、直流電力の入力系統に設けられていた端子台やバスバーを省き、インバータ装置７の部品数を削減することにより、構成の簡素化、コスト低減および小型軽量化を図ることができるとともに、バスバーによる接続部を減らすことで、工数の低減と信頼性の向上を図ることができる。
【００４３】
しかも、複数の高電圧系電装部品１７，１８を、互いの収納ケース２７，３５に設けられている嵌合凸部３２，嵌合凹部３７を介して一体に結合し、一方の収納ケース２７側に設けられている位置決め用の突起３３を介してメイン基板２０の裏面側の所定位置に設置するようにしているため、比較的重い大型部品である平滑コンデンサ１８やコイル１７等の高電圧系電装部品を一体的に結合し、メイン基板２０の裏面側に位置決めして組み付けた状態でインバータ収容部８内に収容設置することができる。従って、複数の高電圧系電装部品１７，１８を個別に組み付けるものに比べ、組み立て性やその精度を高め、生産性を向上することができる。
【００４４】
また、複数の高電圧系電装部品１７，１８が、各々樹脂製の収納ケース２７，３５入りの平滑コンデンサ１８およびコイル１７とされ、その収納ケース２７，３５がメイン基板２０の裏面側にネジ３８，３９を介して一体に組み付け固定されることにより、インバータ収容部８内に収容設置される構成とされているため、ノイズ除去用のフィルタ回路を構成する平滑コンデンサ１８およびコイル１７を各々の収納ケース２７，３５を介してメイン基板２０の裏面側にネジ３８，３９により強固に締め付け固定し、一体化して組み込むことができる。従って、組み立て性やその精度を向上できるのみならず、走行振動等に対する耐振強度をも十分に確保することができる。
【００４５】
さらに、位置決め用の突起３３が、樹脂製とされた収納ケース２７の嵌合凸部３２の上面に、上方に向けて一体に突出成形され、メイン基板２０に設けられている位置決め穴３４に嵌合する構成とされているため、一体に結合されたコイル１７および平滑コンデンサ１８を、一方の樹脂製収納ケース２７に嵌合凸部３２と共に一体成形された突起３３をメイン基板２０側の位置決め穴３４に嵌合することにより、同時に位置決めしてメイン基板２０に組み付けることができる。従って、部品数や組み立て工数を増加することなく低コストで、かつ複数の高電圧系電装部品１７，１８を簡易に一体化して位置決めし、精度よく組み付けることにより、インバータ装置７の組み立て性を向上することができる。
【００４６】
また、本実施形態では、電源側ケーブル１２の一端に設けられたコネクタ１３が、インバータ収容部８を密閉する蓋体１１側のＰ−Ｎ端子２４と対応する位置の内面側に設けられており、蓋体１１の取付け時、Ｐ−Ｎ端子２４に差し込み可能とされているため、インバータ収容部８にインバータ装置７を収容設置した後、蓋体１１を取付けてインバータ収容部８を密閉する際、同時に蓋体１１の内面側に設けられているコネクタ１３をＰ−Ｎ端子２４に差し込むことにより、電源側ケーブル１２をインバータ装置７のＰ−Ｎ端子２４に接続することができる。従って、電源側ケーブル１２の接続構造をシンプル化し、その接続工程を簡略化することができるとともに、コネクタ接続とすることによりその信頼性を確保することができる。
【００４７】
さらに、複数の高電圧系電装部品の１つである平滑コンデンサ１８が、メイン基板２０上に設置されているＰ−Ｎ端子２４の設置位置に対応してその裏面側に配設され、該平滑コンデンサ１８により、コネクタ１３のＰ−Ｎ端子２４への差し込み時にメイン基板２０に付加される応力を受ける構成とされているため、メイン基板２０上に設けられているＰ−Ｎ端子２４に対して、電源側ケーブル１２の一端に設けられているコネクタ１３を差し込んで、電源側ケーブル１２を接続する際、メイン基板２０に付加される応力を、Ｐ−Ｎ端子２４の設置位置に対応してその裏面側に配設されている平滑コンデンサ１８で支えることにより、軽減することができる。これによって、メイン基板２０やその実装部品がコネクタ１３の差し込み時の押し込み力による応力で破損する等の事態を確実に解消することができる。
【００４８】
なお、本発明は、上記実施形態にかかる発明に限定されるものではなく、その要旨を逸脱しない範囲において、適宜変形が可能である。例えば、上記実施形態においては、メイン基板２０上のＰ−Ｎ端子２４の設置位置に対応してその裏面側に配設する高電圧系の電装部品を、平滑コンデンサ１８とした例について説明したが、これに限らず、収納ケース３５入りのコモンモードコイル、ノーマルモードコイル等のコイル１７として、その収納ケース３５で支持する構成としてもよい。
【００４９】
また、コイル１７と平滑コンデンサ１８とを一体的に結合する嵌合部３２，３７を各々の収納ケース２７，３５に一体に成形しているが、この嵌合部３２，３７は、上記実施形態の如く、フック状の嵌合凸部３２および凹状の嵌合凹部３７である必要はなく、両者を結合できるものであれば、如何なる構造のものであってもよい。また、嵌合凸部３２の上面に設けた位置決め手段である突起３３についても、嵌合部３２，３７あるいは収納ケース２７，３５のいずれかに設けられておればよく、必ずしも嵌合凸部３２の上面に設けたものである必要はない。
【００５０】
さらに、電源側ケーブルについても、蓋体１１内に高電圧ケーブル１２を設置し、それに電源側のケーブルを接続するようにしたものについて説明したが、１本のケーブルで構成してもよいことは勿論である。また、インバータ装置７としては、メイン基板２０上にＰ−Ｎ端子２４を設けて電源側ケーブルを接続するように構成したものであれば、如何なる構成のものであってもよい。例えば、インバータ装置７を、樹脂構造体を介して一体にユニット化し、インバータ収容部８に組み込む構成としたものとしてもよい。
【符号の説明】
【００５１】
１  インバータ一体型電動圧縮機
２  ハウジング
３  モータハウジング
７  インバータ装置
８  インバータ収容部
１１  蓋体
１２  高電圧ケーブル（電源側ケーブル）
１３  コネクタ
１７  コイル（高電圧系電装部品）
１８  平滑コンデンサ（高電圧系電装部品）
２０  メイン基板
２４  Ｐ−Ｎ端子
２７  収納ケース
３２  嵌合凸部（嵌合部）
３３  突起（位置決め手段）
３４  位置決め穴
３５  収納ケース
３７  嵌合凹部（嵌合部）
３８，３９  ネジ
【図１】
2014161188.tif 000003
【図２】
2014161188.tif 000004
【図３】
2014161188.tif 000005
【図４】
2014161188.tif 000006
【図５】
2014161188.tif 000007
【図６】
2014161188.tif 000008
【図７】
2014161188.tif 000009